(57)【要約】【課題】  編組織からなるアッパーのフィット感を低下させることなく、アッパーの紐通し孔を簡単な構造で補強する。【解決手段】  シューズ１のアッパー構造において、着用者の足の少なくとも足甲上部に配置されるアッパー２を、熱融着糸を含む編組織から構成する。前後方向に延びる折返し部２５をアッパー２の足甲上部に設けるとともに、折返し部２５を挿通する貫通孔（紐通し孔）２５ａを設ける。アッパー２を加熱処理して編組織を硬化させることにより、折返し部２５を足甲上部に硬化形成する。【選択図】  図１
2017055909.tif 000002
【特許請求の範囲】
【請求項１】
シューズのアッパー構造であって、
着用者の足の少なくとも足甲上部に配置される、編組織からなるアッパーを備え、
前記アッパーの足甲上部には、前後方向に延びる折返し部が設けられ、前記折返し部が、靴紐を通すための貫通孔を有している、
ことを特徴とするシューズのアッパー構造。
【請求項２】
請求項１において、
前記アッパーの前記編組織が熱融着糸を含んでおり、前記アッパーを加熱処理して前記編組織を硬化させることにより、前記折返し部が前記足甲上部に硬化形成されている、
ことを特徴とするシューズのアッパー構造。
【請求項３】
請求項１において、
前記折返し部が、前記アッパーの前記足甲上部において当該足甲上部の一部を山折りして形成されている、
ことを特徴とするシューズのアッパー構造。
【請求項４】
請求項３において、
前記折返し部が、山折り線の左右両側において相対する一対の貫通孔を有している、
ことを特徴とするシューズのアッパー構造。
【請求項５】
請求項１において、
前記折返し部が、前記アッパーの前記足甲上部の内甲側領域および外甲側領域にそれぞれ設けられている、
ことを特徴とするシューズのアッパー構造。
【請求項６】
請求項１において、
前記アッパーの前記足甲上部には、シューズのタン部に相当する編組織が前記折返し部の前記編組織に連設して設けられている、
ことを特徴とするシューズのアッパー構造。
【請求項７】
請求項１において、
前記アッパーが、底部を有する袋形状を有している、
ことを特徴とするシューズのアッパー構造。
【請求項８】
請求項１において、
前記折返し部には、前記貫通孔の開口縁部を補強する補強部が設けられている、
ことを特徴とするシューズのアッパー構造。
【請求項９】
請求項８において、
前記補強部が、前記折返し部の内部に収容された可撓性部材から構成されている、
ことを特徴とするシューズのアッパー構造。
【請求項１０】
請求項８において、
前記補強部が、前記貫通孔の開口縁部に対応する切欠きまたは開孔を有している、
ことを特徴とするシューズのアッパー構造。
【請求項１１】
シューズのアッパー構造の製造方法であって、
足甲上部の内甲側領域または外甲側領域に左右一対の貫通孔を有するアッパーを、熱融着糸を含む編組織から編成し、
前記アッパーに靴型を挿入するとともに、前記アッパーの前記足甲上部において左右に相対する前記各貫通孔の間で前後方向の折返し線に沿って前記内甲側領域または前記外甲側領域を折り返して保持した状態で、前記熱融着糸の融点と等しいかまたはこれよりも高い温度で加熱処理を行うことにより、前記アッパーの前記足甲上部に折返し部を硬化形成するようにした、
ことを特徴とするシューズのアッパー構造の製造方法。
【発明の詳細な説明】
【技術分野】
【０００１】
本発明は、編組織からなるアッパーを備えたシューズに関し、詳細には、靴紐を通すための貫通孔（紐通し孔）を簡単に補強できるようにするためのアッパー構造の改良に関する。
【背景技術】
【０００２】
シューズのアッパー（甲被部）構造として、たとえば特許第５３９１４９３号公報には、ニット層からなるアッパーにストランド挿入用のチューブを設け、当該チューブ内に挿入されたストランドの先端に靴ひも挿通用のループを形成したものが記載されている（同公報の段落［００１５］〜［００２３］および［００３８］、ならびに図１〜図６参照）。
【発明の概要】
【発明が解決しようとする課題】
【０００３】
しかしながら、上記特許第５３９１４９３号公報に記載のものでは、ストランドを別途用意するとともに、ストランドの先端にループを形成する必要があり、構造が複雑である。その一方、ニット製のアッパーとは異なる素材により補強するものでは、ニット製のアッパーが本来有するフィット感を低下させるおそれがある。
【０００４】
本発明は、このような従来の実情に鑑みてなされたもので、本発明が解決しようとする課題は、編組織からなるアッパーを備えたシューズにおいて、フィット感を低下させることなく、アッパーの紐通し孔を簡単な構造で補強できるアッパー構造を提供することにある。
【課題を解決するための手段】
【０００５】
本発明に係るシューズのアッパー構造は、着用者の足の少なくとも足甲上部に配置される、編組織からなるアッパーを備えており、アッパーの足甲上部に前後方向に延びる折返し部が設けられ、折返し部が、靴紐を通すための貫通孔を有している（請求項１参照）。
【０００６】
本発明によれば、編組織からなるアッパーの足甲上部に、貫通孔を有する折返し部が設けられるので、補強部材や補強工程を別途用意することなく、折返し部の二重構造によって貫通孔を補強できる。これにより、編組織からなるアッパーの本来のフィット感を低下させることなく、アッパーの貫通孔を簡単な構造で補強できるようになる。
【０００７】
本発明では、アッパーの編組織が熱融着糸を含んでおり、アッパーを加熱処理して編組織を硬化させることにより、折返し部が足甲上部に硬化形成されている（請求項２参照）。
【０００８】
本発明では、折返し部が、アッパーの足甲上部において当該足甲上部の一部を山折りして形成されている（請求項３参照）。
【０００９】
本発明では、折返し部が、山折り線の左右両側において相対する一対の貫通孔を有している（請求項４参照）。
【００１０】
本発明では、折返し部が、アッパーの足甲上部の内甲側領域および外甲側領域にそれぞれ設けられている（請求項５参照）。
【００１１】
本発明では、シューズのタン部に相当する編組織がアッパーの足甲上部において折返し部の編組織に連設して設けられている（請求項６参照）。
【００１２】
本発明では、アッパーが、底部を有する袋形状を有している（請求項７参照）。
【００１３】
本発明では、折返し部には、貫通孔の開口縁部を補強する補強部が設けられている（請求項８参照）。この場合には、補強部によってさらに貫通孔を補強できる。
【００１４】
本発明では、補強部が、折返し部の内部に収容された可撓性部材から構成されている（請求項９参照）。この場合には、補強部が可撓性部材から構成されていることで、補強部がアッパーのフィット感を低下させるのを防止できる。また、補強部が折返し部を利用してその内部に収容されているので、補強部がアッパーの外面に露出しておらず、編組織からなるアッパー全体の美感が補強部により損なわれるのを防止できるばかりでなく、補強部がアッパーの内面にも露出していないので、補強部が着用者の足に触れるのを防止でき、
足当たり感が補強部により損なわれるのを防止できる。
【００１５】
本発明では、補強部が、貫通孔の開口縁部に対応する切欠きまたは開孔を有している（請求項１０参照）。
【００１６】
本発明に係るシューズのアッパー構造の製造方法は、以下の工程を備えている（請求項１１参照）。すなわち
i) 足甲上部の内甲側領域または外甲側領域に左右一対の貫通孔を有するアッパーを、熱融着糸を含む編組織から編成する工程。
ii)アッパーに靴型を挿入するとともに、アッパーの足甲上部において左右に相対する各貫通孔の間で前後方向の折返し線に沿って前記内甲側領域または前記外甲側領域を折り返して保持した状態で、熱融着糸の融点と等しいかまたはこれよりも高い温度で加熱処理を行うことにより、アッパーの足甲上部に折返し部を硬化形成する工程。
【発明の効果】
【００１７】
以上のように、本発明に係るシューズのアッパー構造によれば、編組織からなるアッパーの足甲上部に、靴紐を通すための貫通孔を有する折返し部が設けられるので、補強部材や補強工程を別途用意することなく、折返し部の二重構造によって貫通孔を補強できる。これにより、編組織からなるアッパーの本来のフィット感を低下させることなく、アッパーの貫通孔を簡単な構造で補強できるようになる。
【図面の簡単な説明】
【００１８】
【図１】本発明の一実施例によるシューズ（左足用）のアッパー構造を外甲側から見た全体斜視図である。
【図２】前記アッパー構造（図１）の内甲側側面図である。
【図３】前記アッパー構造（図１）の外甲側側面図である。
【図４】前記アッパー構造（図１）の底面図である。
【図５】前記アッパー構造（図１）の足甲上部の拡大部分図である。
【図６】図５のVI-VI線断面概略図である。
【図７】加熱処理前における前記アッパー構造（図１）の全体斜視図である。
【図８】前記アッパー構造（図７）の足甲上部の拡大部分図である。
【図９】本発明の変形例によるアッパー構造の折返し部の横断面部分図である。
【図１０】本発明の他の変形例によるアッパー構造の折返し部の横断面部分図である。
【図１１】前記折返し部（図１０）に収容される補強部の変形例の展開状態を示す平面概略図である。
【図１２】前記折返し部（図１０）に収容される補強部の他の変形例の展開状態を示す平面概略図である。
【図１３】前記折返し部（図１０）に収容される補強部のさらに他の変形例の展開状態を示す平面概略図である。
【図１４】前記折返し部（図１０）に収容される補強部の別の変形例を示す平面概略図である。
【図１５】前記折返し部（図１０）に収容される補強部のさらに別の変形例を示す平面概略図である。
【発明を実施するための形態】
【００１９】
以下、本発明の実施例を添付図面に基づいて説明する。
図１ないし図８は、本発明の一実施例によるアッパー構造が採用されたシューズを説明するための図である。ここでは、マラソンシューズを例にとって説明する。なお、以下の説明文中、前方（前側/前）および後方（後側/後）とは、シューズ前後方向の位置関係を表し、上方（上側/上）および下方（下側/下）とは、シューズ上下方向の位置関係を表し、幅方向とはシューズ左右方向を指している。
【００２０】
図１ないし図４に示すように、シューズ１は、着用者の足を覆うように足の踵部からつま先部に至る領域まで延設されたアッパー２を有している。アッパー２は、足の踵部、両側部および足甲部を含む足の上側領域全体を覆うアッパー本体２Ａと、足裏を覆うアッパー底部２Ｂとを有しており、全体が袋状（ソックス状）に構成されている。アッパー本体２Ａは、足を抜き差しするための履き口２０を上部に有しており、アッパー底部２Ｂには、ソールＳ（図４では図示省略）が接着等で固着されている。なお、各図では、靴紐が省略された状態が示されている。
【００２１】
アッパー２は、ソックス状に編み上げられた編組織から構成されている。編組織としては、平編みおよび丸編みのいずれでもよく、種々の編みパターンが適用可能である。また、緯編みに限らず、経編みでもよい。この例では、アッパー本体２Ａの足甲上部領域においてタン部領域２１およびつま先部領域２２（いずれもドット領域で示す）が、いずれもメッシュ編みになっている。また、アッパー本体２Ａの履き口２０の周りに配設される開口縁部２３およびタン部領域２１を除く編組織は熱融着糸を含んでおり、アッパー２の編成後にアッパー全体が加熱処理されることによって、熱融着糸が編組織内で溶融・硬化することにより、アッパー２が立体成形されるようになっている。ここで、熱融着糸とは、相対的に融点の低い糸（たとえば低融点ナイロンなど）であって、たとえば東レ株式会社の「エルダー」（登録商標）が用いられるが、これに限定されるものではなく、低融点および熱接着性の物性を有するものであれば他の糸でもよい。なお、開口縁部２３およびタン部領域２１の編組織が熱融着糸を含まないようにしたのは、これらの部位および領域は、シューズの着用時に伸縮する方が履きやすさ等の観点から好ましいからである。
【００２２】
アッパー本体２Ａの足甲上部には、一対の折返し部２５が設けられている。各折返し部２５は、図５に示すように、タン部領域２１の左右両側にそれぞれ設けられており、開口縁部２３およびつま先部領域２２の間の領域で前後方向に配設されるとともに、アッパー２の加熱処理によって足甲上部に硬化形成されている。図６に示すように、各折返し部２５は、タン部領域２１と一体に連設されるとともに、足甲上部から上方に起立形成（つまり山折り）されている。なお、図６中、符号２５ｃは、各折返し部２５を山折りする際の折曲げ線（山折り線）を示している。また、各折返し部２５は、靴紐を通すための貫通孔（紐通し孔）２５ａをそれぞれ有しており、各貫通孔２５ａには靴紐Ｈが挿通している。
【００２３】
次に、加熱処理前のアッパーを図７に示す。同図において、加熱処理後のアッパーの各部位にそれぞれ対応する部位には、ダッシュ付きの同一符号を付している。同図に示すように、アッパー本体２’Ａの足甲上部においてタン部領域２１’の左右両側には、それぞれ折曲げ線２５’ｃが設けられる。これらの折曲げ線２５’ｃは、たとえばその左右両側の領域で編目の方向を互いに異ならせるようにする等の処置によって、アッパーの加熱処理時に作業者に見えるようにすることも可能であるが、必ずしも外観上明瞭なものでなくてもよい。
【００２４】
図８に示すように、折曲げ線２５’ｃの左右両側の領域において折曲げ線２５’ｃを挟んで互いに対応する位置には、貫通孔２５’ａが形成されている。アッパー本体２’Ａの足甲上部においてタン部領域２１’の左右両側の領域をそれぞれ折曲げ線２５’ｃに沿って山折りすると、折曲げ線２５’ｃを挟んで相対する左右の各貫通孔２５’ａがオーバラップして互いに一致するように配置されることにより、折曲げ線２５’ｃの両側の一対の貫通孔２５’ａにより折返し部２５の貫通孔２５ａが構成されるようになっている。
【００２５】
次に、上述したアッパー２の製造工程について説明する。
アッパー２’（図７）をソックス状に編み上げる際には、アッパー本体２’Ａの開口縁部２３’およびタン部領域２１’を除く編組織については、表糸および裏糸に熱融着糸を組み合わせて編成する。このとき、足甲上部の領域において折曲げ線２５’ｃを挟んで相対する位置に左右一対の貫通孔２５’ａを形成する。各貫通孔対は、折曲げ線２５’ｃに沿って前後方向に配設される（図８参照）。一方、アッパー本体２’の開口縁部２３’およびタン部領域２１’については、表糸および裏糸から、またはこれらに熱融着糸以外の糸を組み合わせて、他の編組織と一体に編成する。
【００２６】
ソックス状に編み上げられたアッパー２’に靴型を挿入する。そして、アッパー本体２’Ａの足甲上部においてタン部領域２１’の左右両側の領域をそれぞれ折曲げ線２５’ｃに沿って山折りすることにより、折曲げ線２５’ｃを挟んで相対する左右の各貫通孔２５’ａをオーバラップさせた状態にしておく。このようなオーバラップ状態は冶具等を用いて保持される。
【００２７】
この状態から、アッパー２’を靴型とともに加熱処理炉に入れて、靴型とともに加熱処理する。このときの加熱温度は、アッパー２’の編組織に含まれる熱融着糸の融点に応じて適宜設定されるが、熱融着糸の融点と等しいかまたはこれよりも高い温度である。たとえば、熱融着糸としてエルダー（登録商標）が用いられる場合には、融点が１１０〜１２０℃であるので、加熱温度としては、たとえば１１０℃または１２０℃（あるいは１２０℃以上）の温度に設定される。このような加熱処理によって、熱融着糸が編組織内で融着されて硬化され、その結果、熱融着糸を含む編組織が硬化されて、アッパー全体が立体状態に成形されるとともに、アッパー２の足甲上部に折返し部２５が硬化形成される。
【００２８】
加熱処理後は、アッパー２の底面にソールＳが固着されることで、シューズ１が組み立てられる。
【００２９】
このような本実施例によれば、編組織からなるアッパー２の足甲上部に、貫通孔２５ａを有する折返し部２５が設けられるので、補強部材や補強工程を別途用意することなく、折返し部２５の二重構造によって貫通孔２５ａを補強できる。これにより、編組織からなるアッパー２の本来のフィット感を低下させることなく、アッパー２の貫通孔２５ａを簡単な構造で補強できるようになる。
【００３０】
以上、本発明に好適な実施例について説明したが、本発明の適用はこれに限定されるものではなく、本発明には種々の変形例が含まれる。以下に変形例のいくつかの例を挙げておく。なお、各変形例を示す図面において、前記実施例と同一符号は同一または相当部分を示している。
【００３１】
＜第１の変形例＞
前記実施例では、アッパー２がシューズ１の踵部からつま先部まで全長にわたって延設されるとともに、底部２Ｂを有する袋形状である場合を示したが、本発明によるアッパー構造は、アッパーの少なくとも足甲上部が編組織から構成されたものに適用可能である。したがって、アッパーの足甲上部以外の領域は編組織以外のものから構成されていてもよく、また底部２Ｂのないアッパーでもよい。
【００３２】
＜第２の変形例＞
前記実施例では、アッパー１がタン部領域２１を有し、折返し部２５の編組織がタン部領域２１の編組織と一体に連設された例を示したが、本発明は、タン部領域２１を有しないアッパー構造にも適用可能である。
【００３３】
＜第３の変形例＞
前記実施例では、折返し部２５がアッパー本体２Ａの足甲上部の内甲側領域および外甲側領域の双方に設けられた例を示したが、本発明は、折返し部２５がアッパー本体２Ａの足甲上部の内甲側領域または外甲側領域のいずれか一方にのみ設けられたものにも適用可能である。
【００３４】
＜第４の変形例＞
前記実施例では、内甲側および外甲側に設けられた各折返し部２５がいずれも単一の折返し部から構成された例を示したが、本発明は、各折返し部の隣に別の折返し部を有する、つまり内甲側領域および（または）外甲側領域において、幅方向に２つ（またはそれ以上）の折返し部が並設されたものにも適用可能である。並設された各折返し部には、靴紐を通すための貫通孔が形成される。
【００３５】
＜第５の変形例＞
前記実施例では、折返し部２５の貫通孔２５ａの開口縁部を補強するための補強部が別途設けられていない例を示したが、本発明の適用はこれに限定されない。図９および図１０は、別途用意された補強部が折返し部に設けられた例を示している。
【００３６】
図９に示すものでは、補強部として、可撓性を有する棒状部材（ひもを含む）３が折返し部２５内の上部空間に収容されている。棒状部材３は、折返し部２５内にたとえば縫製等で固着されている。棒状部材３としては、たとえばポリウレタン等の樹脂製やラバー製または布製のものが用いられる。
【００３７】
図１０に示すものでは、補強部として、可撓性を有する帯状のシート状部材４が折返し部２５内の上部空間に収容されている。シート状部材４は、折返し部２５に沿って折り曲げられており、折返し部２５内にたとえば縫製や接着等によって固着されている。シート状部材４としては、たとえば樹脂製やラバー製または布製のものが用いられる。具体的には、ナイロンテープやポリウレタンテープ、ダイニーマ（登録商標）テープ等が用いられる。
【００３８】
このように折返し部２５に補強部を設けることにより、靴紐Ｈが張力の作用で上方に移動しようとした際に、靴紐Ｈが貫通孔２５ａの上部開口縁部を拡径するのを補強部の介在により防止でき、これにより、貫通孔２５ａの上部開口縁部をさらに補強できる。
【００３９】
しかも、この場合には、補強部が可撓性部材から構成されているので、補強部を設けることでアッパー２のフィット感が低下するのを防止できる。また、補強部が折返し部２５を利用してその内部に収容されているので、補強部がアッパー２の外面に露出しておらず、編組織からなるアッパー全体の美感が補強部により損なわれるのを防止できるばかりでなく、補強部がアッパー２の内面にも露出していないので、補強部が着用者の足に触れるのを防止でき、足当たり感が補強部により損なわれるのを防止できる。
【００４０】
＜第６の変形例＞
図１１ないし図１５は補強部の各種変形例を示している。図１０に示す前記第５の変形例では、補強部が単なる帯状のシート状部材４から構成されていたが、この第６の変形例では、これと異なり、補強部としてのシート状部材が、貫通孔２５ａの開口縁部に対応する切欠きや開孔を有している。
【００４１】
図１１に示すものでは、シート状部材４０が、長手方向の中心線４０ｃを挟んで左右両側の端部に複数の半円状の切欠き４０ａをそれぞれ有している。各切欠き４０ａは、中心線４０ｃを挟んで相対する位置に配置されている。シート状部材４０をアッパー２の折返し部２５内に収容したとき、シート状部材４０の各切欠き４０ａは、アッパー２の各貫通孔２５ａの開口縁部に対応する位置に配置され、中心線４０ｃは、折返し部２５の折曲げ線２５ｃに対応する位置に配置される。
【００４２】
図１２に示すものでは、シート状部材４１が、長手方向の中心線４１ｃを挟んで左右両側の端部近傍位置に複数の円形状の開孔４１ａをそれぞれ有している。各開孔４１ａは、中心線４１ｃを挟んで相対する位置に配置されている。シート状部材４１をアッパー２の折返し部２５内に収容したとき、シート状部材４１の各開孔４１ａは、アッパー２の各貫通孔２５ａに対応する位置に配置され、中心線４１ｃは、折返し部２５の折曲げ線２５ｃに対応する位置に配置される。
【００４３】
図１３に示すものでは、シート状部材４２が、長手方向の中心線４２ｃを挟んで一方の端部近傍位置から他方の端部近傍位置まで延びる複数の矩形状の開孔４２ａを有している。シート状部材４２をアッパー２の折返し部２５内に収容したとき、シート状部材４２の各開孔４２ａは、アッパー２の各貫通孔２５ａに対応する位置に配置され、中心線４２ｃは、折返し部２５の折曲げ線２５ｃに対応する位置に配置される。
【００４４】
図１４に示すものでは、シート状部材４３が、その一方の端部に複数の矩形状の切欠き４３ａを有している。シート状部材４３をアッパー２の折返し部２５内に収容したとき、シート状部材４３の各切欠き４３ａは、アッパー２の各貫通孔２５ａの開口縁部に対応する位置に配置される。なお、この場合、シート状部材４３は、折返し部２５内において相対する貫通孔２５ａのうちの一方の貫通孔２５ａの側に装着される。
【００４５】
図１５に示すものでは、シート状部材４４が、長手方向に細長く延びる本体部４４Ａと、長手方向両端部に設けられ、円形状の開孔４４ａを有する張出部４Ｂとを有している。シート状部材４４をアッパー２の折返し部２５内に収容したとき、シート状部材４４の両端の開孔４４ａは、アッパー２の各貫通孔２５ａのうち、最上位の位置および最下位の位置に配置された各貫通孔２５ａに対応する位置に配置される。シート状部材４４は、折返し部２５内において相対する貫通孔２５ａのうちの一方の貫通孔２５ａの側に装着される。
【００４６】
＜その他の変形例＞
上述した実施例および各変形例はあらゆる点で本発明の単なる例示としてのみみなされるべきものであって、限定的なものではない。本発明が関連する分野の当業者は、本明細書中に明示の記載はなくても、上述の教示内容を考慮するとき、本発明の精神および本質的な特徴部分から外れることなく、本発明の原理を採用する種々の変形例やその他の実施例を構築し得る。
【００４７】
＜他の適用例＞
前記実施例では、本発明によるアッパー構造がマラソンシューズに適用された例を示したが、本発明の適用はこれに限定されるものではなく、本発明は、ウォーキングシューズや短距離／中距離用ランニングシューズ、トレーニングシューズ等の他のスポーツシューズ、およびカジュアルシューズ等にも同様に適用可能である。
【産業上の利用可能性】
【００４８】
以上のように、本発明は、シューズ用アッパー構造に有用であり、とくに、編組織からなるアッパーを備えたものに適している。
【符号の説明】
【００４９】
１：  シューズ
２：  アッパー
２Ａ：  アッパー本体
２Ｂ：  アッパー底部
２１：  タン部領域
２５：  折返し部
２５ａ：  貫通孔
２５ｃ：  折曲げ線（山折り線）
３、４：  補強部
４０ａ、４３ａ：  切欠き
４１ａ、４２ａ、  ４４ａ：  開孔
【先行技術文献】
【特許文献】
【００５０】
【特許文献１】特開２００４−１０５３２３号公報（段落［００３９］〜[００４８]および［００５９］〜［００６１］、ならびに図１〜図６参照）
【特許文献２】特開２０１３−２２０３５７号公報（段落［００１７］、［００１８］および［０１２６］参照）。
【特許文献３】特許第５３９１４９３号公報（段落［００１５］〜［００２３］および［００３８］、ならびに図１〜図６参照）。
【図１】
2017055909.tif 000003
【図２】
2017055909.tif 000004
【図３】
2017055909.tif 000005
【図４】
2017055909.tif 000006
【図５】
2017055909.tif 000007
【図６】
2017055909.tif 000008
【図７】
2017055909.tif 000009
【図８】
2017055909.tif 000010
【図９】
2017055909.tif 000011
【図１０】
2017055909.tif 000012
【図１１】
2017055909.tif 000013
【図１２】
2017055909.tif 000014
【図１３】
2017055909.tif 000015
【図１４】
2017055909.tif 000016
【図１５】
2017055909.tif 000017